(57)【特許請求の範囲】
【請求項１】
信号を記録、再生する情報記録媒体の記録条件調整方法であって、
前記情報記録媒体に記録されたｎ（ｎ：３以上の整数）種類の異なる周期の信号を再生信号として再生する第１のステップと、
該再生されるｎ種の再生信号の各再生信号間の差異から検出されるアシンメトリを２種以上検出し、該検出された２種以上のアシンメトリの相互の大小関係又は各々の絶対値に基づき記録条件を設定する第２のステップと、
を少なくとも含むことを特徴とする情報記録媒体の記録条件調整方法。
【請求項２】
情報記録媒体に記録する際の記録条件を設定するステップと、
該設定された条件でｎ（ｎ：３以上の整数）種類の異なる周期の信号を前記情報記録媒体に記録するステップと、
該記録された信号を再生信号として再生するステップと、
該再生されたｎ種の再生信号の各再生信号間の差異から検出されるアシンメトリを２種以上検出するステップと、
該検出された２種以上のアシンメトリの相互の大小関係又は各々の絶対値に基づき記録条件を設定するステップと
を少なくとも含む情報記録媒体の記録条件調整方法。
【請求項３】
情報記録媒体に記録する際の記録条件を設定する第１のステップと、
該設定された条件でｎ（ｎ：３以上の整数）種類の異なる周期の信号を前記情報記録媒体に記録する第２のステップと、
該記録された信号を再生信号として再生する第３のステップと、
該再生されたｎ種の再生信号の各再生信号間の差異から検出されるアシンメトリを２種以上検出し、該検出された２種以上のアシンメトリの相互の大小関係又は各々の絶対値とに基づき前記記録条件の良否を判断する第４のステップと
を少なくとも含み、
前記良否を判断する第４のステップにおいて、
良の判断が出た場合は記録条件の調整を終了し、一方、否の判断が出た場合は再度記録条件を設定し直し、前記第１から第４のステップを繰り返すこと
で、記録条件を調整することを特徴とする記録条件調整方法。
【請求項４】
前記情報記録媒体に記録する際の記録条件を設定するステップが、
前記情報記録媒体に予め情報として記録された推奨記録パワ及び記録ストラテジ、又は、ドライブに予め情報として格納された推奨記録パワ及び記録ストラテジを参照して記録条件を設定するステップと、
該推奨条件により設定された記録パワ、記録パルス形状、又は記録パルス幅を基準として、複数通りの条件を設定するステップと、
からなることを特徴とする請求項２又は３記載の記録条件調整方法。
【請求項５】
信号を記録、再生する情報記録媒体の記録条件調整方法であって、
前記情報記録媒体に記録されたｎ（ｎ：３以上の整数）種類の異なる周期の信号を再生信号として再生する第１のステップと、
該再生されるｎ種の再生信号における振幅の各々最大値と各々最小値とを検出し、該検出された再生信号における振幅の各々の最大値と各々の最小値の大小関係又は各々の絶対値とに基づき前記記録条件を設定する第２のステップと
を少なくとも含むことを特徴とする情報記録媒体の記録条件調整方法。
【請求項６】
前記記録条件は、記録パワ、記録パルス幅、又は記録パルス形状である請求項１乃至５記載の記録条件調整方法。
【請求項７】
前記記録条件を設定する際、前記検出されるｍ（ｍ：２以上の整数）のアシンメトリの相互差が最小になる記録条件を設定値とすることを特徴とする請求項１、２、３、４又は６記載の記録条件調整方法。
【請求項８】
前記記録条件を設定する際、前記検出されるｍ（ｍ：２以上の整数）のアシンメトリの相互差が所定の範囲内となるよう設定することを特徴とする請求項１、２、３、４又は６記載の記録条件調整方法。
【請求項９】
前記再生信号として再生される前記情報記録媒体に記録される異なる周期の信号として、記録に使用される変調符号におけるマーク長およびスペース長のうち、少なくとも最短マークと最短スペースとを含む第１の単一周期信号と、２番目に短いマークと２番目に短いスペースとを含む第２の単一周期信号とを使用することを特徴とする請求項１乃至８に記載の情報記録媒体の記録条件調整方法。
【請求項１０】
前記再生信号として再生される前記情報記録媒体に記録される異なる周期の信号が、周期Ｔのチャネルクロックに基づく記録変調方式に従ったデータ長ｎＴ（Ｔ：チャネルクロック）（ｎは３，４，５，６，７，８，９，１０，１１又は１４）の周期信号であり、特に、チャネルクロックの３倍の長さのマークとチャネルクロックの３倍の長さのスペースとを含む３Ｔ単一周期信号（第１の単一周期信号）と、チャネルクロックの４倍の長さのマークとチャネルクロックの４倍の長さのスペースとを含む４Ｔ単一周期信号（第２の単一周期信号）とを少なくとも用いる請求項１乃至９に記載の情報記録媒体の記録条件調整方法。
【請求項１１】
前記再生信号として再生される前記情報記録媒体に記録される異なる周期の信号として、さらに、最長マークと最長スペースとを含む第３の単一周期信号、又は、２番目に長いマークと２番目に長いスペースとを含む第４の単一周期信号を使用することを特徴とする請求項９に記載の情報記録媒体の記録条件調整方法。
【請求項１２】
前記再生信号として再生される前記情報記録媒体に記録される異なる周期の信号として、さらに、チャネルクロックの１４倍の長さのマークとチャネルクロックの１４倍の長さのスペースとを含む１４Ｔ単一周期信号（第３の単一周期信号）又は、チャネルクロックの１１倍の長さのマークとチャネルクロックの１１倍の長さのスペースとを含む１１Ｔ単一周期信号（第４の単一周期信号）を使用することを特徴とする請求項１０に記載の情報記録媒体の記録条件調整方法。
【請求項１３】
前記第１の単一周期信号の平均電圧をＶａとし、前記第３の単一周期信号、又は、前記第４の単一周期信号の平均電圧をＶｐ、振幅をＶｐｐとし、
信号を記録したとき平均電圧が下がる再生系の場合、（Ｖｐ−Ｖａ）／Ｖｐｐなる式、信号を記録したとき平均電圧が上がる再生系の場合、（Ｖａ−Ｖｐ）／Ｖｐｐなる式、により計算される前記第１の単一周期信号と、前記第３の単一周期信号又は前記第４の単一周期信号との第１のアシンメトリ値と、前記第２の単一周期信号の平均電圧をＶｂとし、信号を記録したとき平均電圧が下がる再生系の場合、（Ｖｐ−Ｖｂ）／Ｖｐｐなる式、信号を記録したとき平均電圧が上がる再生系の場合、（Ｖｂ−Ｖｐ）／Ｖｐｐなる式、により計算される前記第２の単一周期信号と、前記第３の単一周期信号又は前記第４の単一周期信号との第２のアシンメトリ値との大小関係又は絶対値に基づき、記録条件を導き出すことを特徴とする請求項１１又は１２のいずれかに記載の情報
記録媒体の記録条件調整方法。
【請求項１４】
前記第１のアシンメトリ値と前記第２のアシンメトリ値との差が最小となるように前記記録条件を設定することを特徴とする請求項１３に記載の情報記録媒体の記録条件調整方法。
【請求項１５】
前記第１のアシンメトリ値と前記第２のアシンメトリ値とが０パーセント以上、１０パーセント以下となるよう調整することを特徴とする請求項１３又は１４に記載の情報記録媒体の記録条件調整方法。
【請求項１６】
前記再生信号として再生される前記情報記録媒体に記録される異なる周期の信号として、さらに３番目に短いマークと３番目に短いスペースとを含む第５の単一周期信号とを使用することを特徴とする請求項９又は１１に記載の情報記録媒体の記録条件調整方
法。
【請求項１７】
前記再生信号として再生される前記情報記録媒体に記録される異なる周期の信号として、さらに、チャネルクロックの５倍の長さのマークとチャネルクロックの５倍の長さのスペースとを含む５Ｔ単一周期信号を使用することを特徴とする請求項１０又は１２に記載の情報記録媒体の記録条件調整方法。
【請求項１８】
前記第１の単一周期信号の平均電圧をＶａとし、第３の単一周期信号、又は、第４の単一周期信号の平均電圧をＶｐ、振幅をＶｐｐとし、信号を記録したとき平均電圧が下がる再生系の場合、（Ｖｐ−Ｖａ）／Ｖｐｐなる式、信号を記録したとき平均電圧が上がる再生系の場合、（Ｖａ−Ｖｐ）／Ｖｐｐなる式、により計算される前記第１の単一周期信号と、前記第３の単一周期信号又は前記第４の単一周期信号との第１のアシンメトリ値と、第２の単一周期信号の平均電圧をＶｂとし、信号を記録したとき平均電圧が下がる再生系の場合、
（Ｖｐ−Ｖｂ）／Ｖｐｐなる式、信号を記録したとき平均電圧が上がる再生系の場合、
（Ｖｂ−Ｖｐ）／Ｖｐｐなる式、により計算される前記第２の単一周期信号と、前記第３の単一周期信号又は前記第４の単一周期信号との第２のアシンメトリ値と、第５の単一周期信号の平均電圧をＶｃとし、信号を記録したとき平均電圧が下がる再生系の場合、（Ｖｐ−Ｖｃ）／Ｖｐｐなる式、信号を記録したとき平均電圧が上がる再生系の場合、（Ｖｃ−Ｖｐ）／Ｖｐｐなる式、により計算される前記第５の単一周期信号と、前記第３の単一周期信号又は前記第４の単一周期信号との第３のアシンメトリ値と、を算出し、この第１、第２、及び第３のアシンメトリ値の大小関係又は絶対値に基づき、記録条件を導き出すことを特徴とする請求項１６又は１７のいずれかに記載の情報記録媒体の記録条件調整方法。
【請求項１９】
前記第１のアシンメトリ値と前記第２のアシンメトリ値と前記第３のアシンメトリ値との各アシンメトリ間の差が最小となるように前記記録条件を設定することを特徴とする請求項１８に記載の情報記録媒体の記録条件調整方法。
【請求項２０】
前記第１のアシンメトリ値、前記第２のアシンメトリ値、及び前記第３のアシンメトリ値とが何れも０パーセント以上、１０パーセント以下の値となるよう調整することを特徴とする請求項１８又は１９に記載の情報記録媒体の記録条件調整方法。
【請求項２１】
前記記録条件調整方法において、記録条件として記録パワ、記録パルス幅、又は記録パルス形状を個々又は総合的に調整する手順を含み、
該記録パルス形状の調整は、連続するパルス列をもって記録を行う場合には、その個々のパルス幅またはその個々のパルスのパワーレベルを変化させ、矩形型の記録パルスをもって記録を行う場合には、記録パルスの先頭、後端、中間部のパワーレベルを変えること、または該パワーレベルの各々の幅の変更を含む、ことを特徴とする請求項１乃至２０のいずれかに記載の情報記録媒体の記録条件調整方法。
【請求項２２】
情報記録媒体に予め情報として記録された推奨記録パワ及び記録ストラテジ、又は、ドライブに予め情報として格納された推奨記録パワ及び記録ストラテジを参照して記録条件を設定するステップと、
該推奨条件により設定された記録パワを基準として、複数の記録パワを設定するステップと、
各々の前記記録パワ条件に関して、短周期の第１の単一周期信号と、この第１の単一周期信号以外の少なくとも２種類以上の周期信号を記録するステップと、
記録された前記周期信号を読み出し、前記周期信号間のアシンメトリ値、又は、前記周期信号の信号レベルを２種類以上検出するステップと、
検出された前記２種類のアシンメトリ値、又は、前記２種類の号レベルの絶対値から、記録パワを決定するステップと、
決定された前記記録パワを設定するステップと、
記録パルス形状に関して、複数通りの記録条件を設定するステップと、
複数通りの記録パルス形状条件の各々に関して、前記第１の単一周期信号とその他の少なくとも１種類の周期信号とを記録するステップと、
記録された前記周期信号を読み出し、前記周期信号間のアシンメトリ値、又は、前記周期信号の信号レベルを検出するステップと、
検出された前記アシンメトリ値、又は、前記信号レベル
の絶対値から、記録パルス形状を設定するステップと
を少なくとも備えることを特徴とする情報記録媒体の記録条件調整方法。
【請求項２３】
情報記録媒体に記録する際の記録条件を複数設定するステップと、
該設定された条件で周期Ｔのチャネルクロックに基づく変調方式に従ったデータ長３Ｔと、４Ｔと、１１Ｔあるいは１４Ｔの３種類の周期信号を記録するステップと、
該記録された信号を再生するステップと、
該再生された３種類の再生信号のうち、データ長３Ｔの信号とデータ長１１Ｔあるいは１４Ｔの信号との差異からアシンメトリβ１を、データ長４Ｔの信号とデータ長１１Ｔあるいは１４Ｔの信号との差異からアシンメトリβ２をそれぞれ検出するステップと、
該検出されたβ１とβ２とを比較するステップと、
該比較値により、β１とβ２との差が最小になる際の条件を前記記録条件と設定するステップとを少なくとも含む情報記録媒体の記録条件調整方法。
【請求項２４】
情報記録媒体に記録する際の記録パワを複数設定するステップと、
該設定された条件で周期Ｔのチャネルクロックに基づく変調方式に従ったデータ長４Ｔと、１１Ｔあるいは１４Ｔの２種類の周期信号を記録するステップと、
該記録された信号を再生するステップと、
該再生されたデータ長４Ｔの信号とデータ長１１Ｔあるいは１４Ｔの信号との差異からアシンメトリβ２を検出し、記録パワを決定するステップと、
前記情報記録媒体に記録する際の記録パルス幅又は記録パルス形状を複数設定するステップと、
該設定された条件で周期Ｔのチャネルクロックに基づく変調方式に従ったデータ長３Ｔと１１Ｔあるいは１４Ｔの２種類の周期信号を記録するステップと、
該記録された信号を再生するステップと、該再生されたデータ長３Ｔの信号とデータ長１１Ｔあるいは１４Ｔの信号との差異からアシンメトリβ１を検出し、記録パルス幅又は記録パルス形状を設定するステップと
を少なくとも有する記録条件調整方法。
【請求項２５】
情報記録媒体に記録する際の記録条件を複数設定する第１のステップと、
該設定された条件で周期Ｔのチャネルクロックに基づく変調方式に従ったデータ長３Ｔと、４Ｔと、１１Ｔあるいは１４Ｔの３種類の周期信号を記録する第２のステップと、
該記録された信号を再生する第３のステップと、
該再生された３種類の再生信号のうち、データ長３Ｔの信号とデータ長１１Ｔあるいは１４Ｔの信号との差異からアシンメトリβ１を、データ長４Ｔの信号とデータ長１１Ｔあるいは１４Ｔの信号との差異からアシンメトリβ２をそれぞれ検出する第４のステップと、
該検出されたβ１とβ２とを比較し、このβ１とβ２との差が最小となる際の条件を前記記録条件として設定する第５のステップと、
該設定された記録条件におけるβ１またはβ２の値の絶対値から記録条件の良否を判断する第６のステップとを
少なくとも有し、
該良否判断をする第６のステップにおいて、良の判断が出た場合は記録条件の調整を終了し、一方、否の判断が出た場合は前記記録条件を変更し、再度第１から第６のステップを繰り返すことで記録条件を調整することを特徴とする記録条件調整方法。
【請求項２６】
情報記録媒体に記録する際の記録条件を複数設定するステップと、
該設定された条件で周期Ｔのチャネルクロックに基づく変調方式に従ったデータ長３Ｔと４Ｔと５Ｔと、１１Ｔあるいは１４Ｔの４種類の周期信号を記録するステップと、
該記録された信号を再生するステップと、
該再生された４種類の再生信号のうち、データ長３Ｔの信号とデータ長１１Ｔあるいは１４Ｔの信号との差異からアシンメトリβ１を、データ長４Ｔの信号とデータ長１１Ｔあるいは１４Ｔの信号との差異からアシンメトリβ２を、データ長５Ｔの信号とデータ長１１Ｔあるいは１４Ｔの信号との差異からアシンメトリβ３をそれぞれ検出するステップと、
該検出されたβ１とβ２とβ３とを比較し、このβ１とβ２とβ３との各差が最小となる条件を記録条件として設定するステップとを少なくとも有する記録条件調整方法。
【請求項２７】
前記請求項１乃至２６のいずれかに記載の記録条件調整方法における記録条件の設定方法を、情報記録媒体の再生方法に適用したことを特徴とする情報記録媒体の再生条件調整方法。
【請求項２８】
情報記録再生装置又はコンピュータを制御するプログラムであって、請求項１乃至２６のいずれかに記載の情報記録媒体の記録条件調整方法を実行するプログラム。
【請求項２９】
情報記録媒体に記録する記録手段と、該記録した情報を再生する再生手段と、該記録の条件又は再生の条件を設定する条件設定手段とを少なくとも有する情報記録再生装置において、
前記条件設定手段が、請求項１から２７のいずれかに記載の記録又は再生条件調整方法により条件設定する手段である情報記録再生装置。
【請求項３０】
情報記録再生装置であって、請求項１乃至２６のいずれかに記載の情報記録媒体の記録条件調整方法により記録条件を設定する機能を有する情報記録再生装置。
【請求項３１】
請求項１乃至２６のいずれかに記載の情報記録媒体の記録条件調整方法を実行するために必要な条件が記録されている情報記録媒体。
【請求項３２】
情報記録媒体に記録する記録手段と、該記録した情報を再生する再生手段と、該記録の条件又は再生の条件を設定する条件設定手段とを少なくとも有する情報記録再生装置において、
前記条件設定手段が、
前記情報記録媒体に記録されたｎ（ｎは３以上の整数）種類の異なる周期の信号を再生信号として再生し、該再生されたｎ種類の再生信号の各再生信号間の差異からアシンメトリを２種以上検出する手段と、
該検出手段により検出された２種以上のアシンメトリの大小関係、又は２種以上の絶対値に基づき記録又は再生の条件を設定する条件設定手段
であることを特徴とする情報記録再生装置。
【請求項３３】
情報記録媒体に記録する記録手段と、該記録した情報を再生する再生手段と、該記録の条件又は再生の条件を設定する条件設定手段とを少なくとも有する情報記録再生装置において、
前記条件設定手段が、
前記情報記録媒体に記録する際の記録条件を設定し、該設定された条件でｎ（ｎ：３以上の整数）種類の異なる周期の信号を前記情報記録媒体に記録し、該記録された信号を再生信号として再生し、該再生されたｎ種類の再生信号の各再生信号間の差異からアシンメトリを２種以上検出する手段と、
該検出手段により検出された２種以上のアシンメトリの大小関係、又は各々の絶対値に基づき記録又は再生の条件を設定する条件設定手段
であることを特徴とする情報記録再生装置。
【請求項３４】
前記条件設定手段における記録の条件又は再生の条件を設定する際、前記情報記録媒体に予め情報として記録された推奨記録再生パワ及び記録再生ストラテジ、又は、ドライブに予め情報として格納された推奨記録再生パワ及び記録再生ストラテジを参照して記録再生条件を設定し、該推奨条件により設定された記録又は再生パワ、記録又は再生パルス形状、又は、記録又は再生パルス幅を基準として、複数通りの条件を設定することを特徴とする請求項３３記載の情報記録再生装置。
【請求項３５】
情報記録媒体に記録する記録手段と、
該記録した情報を再生する再生手段と、該記録の条件又は再生の条件を設定する条件設定手段とを少なくとも有する情報記録再生装置において、
前記条件設定手段が、
前記情報記録媒体に記録されたｎ（ｎは３以上の整数）種類の異なる周期の信号を再生信号として再生し、該再生されたｎ種類の再生信号における振幅の各々最大値と各々最小値の大小関係、又は絶対値に基づき記録又は再生の条件を設定する条件設定手段であることを特徴とする情報記録再生装置。
【請求項３６】
前記記録条件は、記録パワ、記録パルス幅、又は記録パルス形状である請求項３２乃至３５記載の情報記録再生装置。
【請求項３７】
前記記録条件又は再生条件を設定する際、前記検出されるｍ（ｍ：２以上の整数）個のアシンメトリの相互差が最小となるよう記録条件又は再生条件を設定することを特徴とする請求項３２乃至３４のいずれかに記載の情報記録再生装置。
【請求項３８】
信号を記録、再生する情報記録媒体の再生条件調整方法であって、
前記情報記録媒体に記録されたｎ（ｎ：３以上の整数）種類の異なる周期の信号を再生信号として再生する第１のステップと、
該再生されるｎ種の再生信号の各再生信号間の差異から検出されるアシンメトリを２種以上検出し、該検出された２種以上のアシンメトリの相互の大小関係又は各々の絶対値に基づき前記再生条件を設定する第２のステップと、
を含むことを特徴とする情報記録媒体の再生条件調整方法。
【請求項３９】
信号を記録、再生する情報記録媒体の再生条件調整方法であって、
前記情報記録媒体に記録されたｎ（ｎ：３以上の整数）種類の異なる周期の信号を再生信号として再生する第１のステップと、
該再生されるｎ種の再生信号における振幅の各々最大値と各々最小値とを検出し、該検出された再生信号における振幅の各々最大値と各々最小値の大小関係と絶対値とに基づき前記再生条件を生成する第２のステップとを含むことを特徴とする情報記録媒体の再生条件調整方法。
【請求項４０】
前記再生条件を設定する際、前記検出されるｍ（ｍ：２以上の整数）のアシンメトリの相互差が最小になるよう再生条件を設定することを特徴とする請求項３８又は３９記載の再生条件調整方法。
【発明の詳細な説明】
【０００１】
【発明の属する技術分野】
本発明は高密度光ディスクの記録条件に関する情報記録媒体の記録条件調整方法に属する。
【０００２】
【従来の技術】
従来、ＤＶＤ−Ｒ、ＤＶＤ−ＲＷ、ＤＶＤ＋ＲＷなる記録型の光ディスクが開発されており、そのいくつかは市場に投入されている。これらの光ディスクは記録を行なう際、単一のパルスで記録するのではなく、いくつかのパルスでひとつのマークを記録するというマルチパルス方式を採用している。
【０００３】
図１６は、従来技術におけるマルチパルスの概要を示す図である。
【０００４】
図１６にて模式的に示すような各種光ディスクの６Ｔ信号（６Ｔの長さのマーク）を用いて、記録ストラテジと呼ばれる記録の仕方が行なわれる。上記したＴはチャネルクロック周期を表す。
【０００５】
図１６の（ａ）、（ｂ）、（ｃ）に示される３種の光ディスクは、マルチパルス方式を利用しているが、各パルスの幅などは光ディスクの種類或いはメーカによって異なっている。各パルスに対しては、各光ディスクの種類で異なる規定があり、ディスクに適したパルス幅等の最終的な情報はメーカがディスクに情報として埋め込むことになっている。図中には、記録パワレベルＰｗ、消去パワレベルＰｅ、ボトムパワレベルＰｂを示す。
【０００６】
各々のパルスについて、先頭のパルス幅Ｔｔｏｐ、先頭以外のパルス幅Ｔｍｐとし、最後のパルスの後に現れるボトムパワレベルＰｂについては期間Ｔｃｌを示す。通常はこれらのパラメータを動かすことでジッタを最小に落とし込む。
【０００７】
この図の場合、先頭のパルス以外のパルスはすべて同じパルス幅Ｔｍｐであり、パルス幅Ｔｍｐを調整するときには先頭のパルス以外のパルスはすべて同様に調整する。まれに最後のパルスにも特徴を持たせることもあるが、その場合、パルス幅Ｔｍｐで記述されるのは先頭と最後のパルス以外のパルスとなる。
【０００８】
上記した光ディスクはディスクの一部に記録パワを調節するエリアを持っており、ディスクに埋め込まれた推奨記録ストラテジを用いて、記録パワの調節のみは適宜、行なうようになっている。記録パワの調整方法としては、長いマークと短いマークのアシンメトリを検査してβ値を求めるβ法と、記録マーク振幅の飽和の程度から判断するγ法が知られている。ＤＶＤ−Ｒではβ法が用いられ、ＤＶＤ−ＲＷ、ＤＶＤ＋ＲＷではγ法が使用されるのが一般的である。この記録ストラテジに関しては、適宜調整するという規定はなく、ディスクに埋め込まれた情報だけが頼りとなってくる。
【０００９】
記録ストラテジの調整方法としては、特開２０００−１８２２４４号公報、特開２０００−３０２５４号公報等に示された方法がある。前者の技術は記録パワや記録ストラテジのパラメータにいくつかの水準を割り当て、各組合せで網羅的に実験を行ない、最適なものを選択するというものである。後者は、記録ストラテジのパラメータの調整と記録パワの調整を別々に行ない、記録パワに関しては理論的なマーク長を指針として決定するというものである。
【００１０】
また、特開２００１−１５５３４０号公報には、ＣＡＶ、ＺＣＡＶ、もしくは任意の速度のＣＬＶ記録に適用可能で、簡単な制御方法で記録を行なう技術が記載されている。この技術は、記録線速度が可変である光記録媒体にマルチパルス方式により記録マークを形成する際、設定可能な最高線速度で最適化された発光パターン及びパルス長設定を基本とし、記録マークを形成するためのパルス列に対し、パルスの種類ごとに記録パワを割り当てて、これにより２つ以上の異なる記録パワにより上記のパルス列が生成されるようにする。そして各記録パワを記録線速度又は光記録媒体の記録位置に応じて制御するものである。この技術のように記録パワを記録線速度又は記録位置に合わせて制御することで、記録ストラトジの発光パルス長を一定に固定しても、実用線速度範囲で低ジッタにより記録を行なうことができると述べられている。
【００１１】
一般的に、記録ストラテジというものは、光ヘッドの状態や、レーザ駆動系回路の設定などで微妙に最適なものが変わるため、最終的には、ディスクに情報として埋め込まれたものを直接使用するのではなく、ドライブに合ったものに調整して使用するのが望ましいといわれる。
【００１２】
【発明が解決しようとする課題】
しかしながら、従来技術には以下に掲げる問題点があった。
【００１３】
網羅的な実験を必要とする技術は実験回数が多く、迅速な調整をすることが困難であった。また、特開２００１−１５５３４０号公報における技術のように任意の記録線速度や記録位置に対応できる記録ストラテジの設定方法や、記録ストラテジにおけるパラメータの調整と記録パワの調整とを別々に行なう技術もジッタを測定したり、マーク長を測定したりと工程数が多く、迅速な調整をすることが困難であり、効果的な記録ストラテジ調整方法ができなかった。
【００１４】
また、実験回数が多いものだと、調整用の領域を多く使用することになり、ＤＶＤ−Ｒのように１度しか記録できない媒体では、特に調整用の領域がすぐに消耗してしまう。特開２０００−１８２２４４号公報に示されている段落番号００３０以降の記述によれば、最初の調整で６３通り、更に次の調整で２７通りの実験を行なっており、また使用する領域も非常に大きい（６３＋２７＝９０ＥＣＣブロック）。調整用の領域がなくなるということは、何度もドライブから取り出し、書き直す、又は、書き足すという光ディスクにとっては、いずれ良好な記録が行なわれなくなるという問題点があった。
【００１５】
本発明は斯かる問題点を鑑みてなされたものであり、その目的とするところは、１１Ｔ及び３Ｔと１１Ｔ及び４Ｔとの２種類のアシンメトリ値を調べ、その大小関係と絶対値をもとに、記録ストラテジを調整することで、迅速で且つ調整用の領域の少ない記録パワ及び記録ストラテジに関する情報記録媒体の記録条件調整方法を提供する点にある。
【００１６】
【課題を解決するための手段】
本願発明は、信号を記録、再生する情報記録媒体の記録条件調整方法であって、前記情報記録媒体に記録されたｎ（ｎ：３以上の整数）種類の異なる周期の信号を再生信号として再生するステップと、該再生されるｎ種の再生信号の各再生信号間の差異から検出されるアシンメトリを２種以上検出し、該検出されたアシンメトリの大小関係又は絶対値とに基づき前記記録条件を設定するものである。ここでの記録条件としては、記録パワ、記録パルス、又は記録パルス形状を調整することが好ましい。また、種類の異なる周期の信号としては、所定の変調方式における記録マーク長とスペース長のうち、最短マークを最短スペースからなる第１の単一周期信号と、２番目に短いマークと２番目に短いスペースからなる第２の単一周期信号と、更に、最長マークと最長スペースからなる第３の単一周期信号又は２番目に長いマークと２番目に短いスペースからなる第４の単一周期信号とを用いて調整することで好適な調整が可能である。また、３番目に短いマークと３番目に短いスペースとからなる第５の単一周囲信号を用いて調整することで、更に詳細な条件設定が可能となる。
特に、ＥＦＭ plus変調においては、３Ｔ信号と４Ｔ信号と、１１Ｔ又は１４Ｔ信号とを用いて条件設定することで好適な調整が可能である（Ｔはチャネルクロック）。上記信号にもう１種類加えるなら、５Ｔ信号が好適である。
上記調整は前記信号間のアシンメトリの相互差を最小にすることで達成される。アシンメトリを用いなくても、各再生信号振幅の最大値、最小値を用いて、アシンメトリの相互差を最小にするのと等価な調整をしても同等の効果が得られる。
より具体的に記すと、例えば、情報記録媒体に記録する際の記録条件を複数設定するステップと、設定された条件で周期Ｔのチャネルクロックに基づく変調方式に従ったデータ長３Ｔと、４Ｔと、１１Ｔあるいは１４Ｔの３種類の周期信号を記録するステップと、記録された信号を再生するステップと、再生された３種類の再生信号のうち、データ長３Ｔの信号とデータ長１１Ｔあるいは１４Ｔの信号との差異からアシンメトリβ１を、データ長４Ｔの信号とデータ長１１Ｔあるいは１４Ｔの信号との差異からアシンメトリβ２をそれぞれ検出するステップと、検出されたβ１とβ２とを比較するステップを順次実行し、β１とβ２が最も等しくなる際の条件を最適な記録条件と設定することで、本願発明を実施する。更に本願発明では、このような条件設定方法を実行する条件設定手段を有する記録再生装置とするものである。
具体的には、例えば、情報記録媒体に記録する記録手段と、記録した情報を再生する再生手段と、記録の条件又は再生の条件を設定する条件設定手段とを少なくとも有する構成で、条件設定手段が、情報記録媒体に記録されたｎ（ｎは３以上の整数）種類の異なる周期の信号を再生信号として再生し、再生されたｎ種類の再生信号の各再生信号間の差異からアシンメトリを２種以上検出する手段と、検出手段により検出された各アシンメトリの大小関係、又は絶対値に基づき記録又は再生の条件を設定する条件設定手段であることを特徴とする。
本願発明では、このような構成であるため、ジッタを測定することなく容易にかつ迅速に記録・再生条件の設定が可能である。
【００１７】
【発明の実施の形態】
以下、本発明の実施の形態を図面に基づいて詳細に説明する。
【００１８】
図１は、本実施の形態に係る情報記録媒体の記録条件調整方法における処理の流れを示す図である。
【００１９】
図１に示すように、本実施の形態に係る情報記録媒体の記録条件調整方法は、パラメータ設定の処理Ａ０１、周期信号の記録Ａ０２、信号レベルの測定Ａ０３及び最適記録方式導出Ａ０４の各処理を行なう構成である。
【００２０】
パラメータ設定の処理Ａ０１では、記録パワと図１６に示したパルス幅Ｔｍｐ以外のパラメータを、ディスクに埋め込まれた情報（ディスク情報）と同様に設定する。
【００２１】
周期信号の記録Ａ０２では、２種類の異なる周期信号を、例えば、１シンクフレームの半分ずつ記録する。
【００２２】
信号レベルの測定Ａ０３では、各シンクフレームのβ値を測定する。
【００２３】
最適記録方式導出Ａ０４では、最適な記録パワとパルス幅Ｔｍｐを導出する。
【００２４】
図２は、図１の処理における記録パワ（記録パワレベル）Ｐｗ、記録ストラテジパラメータとジッタσ、アシンメトリの関係の一例を示す図である。
【００２５】
図２では、記録媒体として対象となるＤＶＤ−Ｒにおける、ジッタσ、１１Ｔと３Ｔのアシンメトリ値（第１のアシンメトリ値、Ａｓｙｎｍｅｔｒｙ（１１Ｔ−３Ｔ））β１、１１Ｔと４Ｔのアシンメトリ値（第２のアシンメトリ値、Ａｓｙｎｍｅｔｒｙ（１１Ｔ−４Ｔ））β２と記録パワＰｗの関係を調べた結果を示す。この場合、１１Ｔというのは、チャネルクロック（Ｔの周期）の１１倍の長さのスペースと１１倍の長さのマークからなる周期の信号を意味する。同様に、３Ｔはチャネルクロックの３倍の長さのスペースと３倍の長さのマークとからなる周期の信号、４Ｔはチャネルクロックの４倍の長さのスペースと４倍の長さのマークからなる周期の信号を意味する。また、チャネルクロックとは記録再生を行なう際の最も基準となるクロック又は周期を意味する。
【００２６】
記録ストラテジパラメータ及び記録パワＰｗとジッタσ、各種アナログ特性値の関係から得られた重要な規則性を説明する。なお、図２の（ａ）、（ｂ）、（ｃ）ともパルス幅Ｔｔｏｐは１．４Ｔに固定しており、パルス幅Ｔｍｐを振った場合の結果を示す。
【００２７】
図２の（ａ）、（ｂ）、（ｃ）に示すとおり、所定の記録ストラテジ条件のときにジッタσが極小値をとるのは、多少の実験誤差を考慮しなければならないが、アシンメトリ値β１とアシンメトリ値β２が等しいところであることがわかる。
【００２８】
一般的にジッタσが１５％以上になると、エラー訂正処理を行なってもエラーが訂正できなくなるので、ジッタσは１５％以下にしなければならない。また、現在のドライブの実力では、すべての条件が最適な場合でもジッタσは８％程度までしか落ちない。ジッタσの劣化要因としては、記録パワＰｗの設定誤差、記録ストラテジの設定誤差、フォーカスの設定誤差、チルトの設定誤差等が揚げられ、記録パワＰｗの設定誤差と記録ストラテジの設定誤差に許されるジッタ劣化分は２％程度とみなされる。従って、ジッタσが１０％以下になるように、記録パワＰｗ及び記録ストラテジを調整することが望ましい。
【００２９】
図３は、図２における所定の記録ストラテジにて極小ジッタ値及び極小ジッタ値をとったときのアシンメトリを示す図である。
【００３０】
図２で示した結果を更にわかりやすくするため、各記録ストラテジ条件でジッタ（ｊｉｔｔｅｒ）σが極小値をとる記録パワＰｗにおけるジッタσ、アシンメトリ値β１、アシンメトリ値β２を図３に示した。
【００３１】
ジッタσが極小値をとるところで、アシンメトリ値β１とアシンメトリ値β２とがほぼ等しいことがわかり、また、β値（アシンメトリ値、アシンメトリ値β１及びアシンメトリ値β２）が０〜１０％の間でジッタ極小値が１０％以下となることがわかる。
【００３２】
以上の結果を考えると、記録パワＰｗと記録ストラテジパラメータを振って、アシンメトリ値β１とアシンメトリ値β２が等しく、その値が０〜１０％程度になるところを見つければ、ジッタσが１０％以下となることを示している。つまり、この原理を利用すれば、ジッタσという非常に時間と記録領域とが必要とされる測定値を測定することなく、β値という非常に迅速に測定できる測定値のみを使って、記録パワＰｗ及び記録ストラテジを最適化できることを意味する。本実施の形態に係る情報記録媒体の記録条件調整方法は、この原理を利用したものである。
【００３３】
１１Ｔ（第４の単一周期信号）と３Ｔ、又は、１４Ｔ（第３の単一周期信号）と３Ｔのアシンメトリを使用して記録パワＰｗを調整するというβ法は従来技術として有名な方法である。しかしながら、短いマーク又はスペースとして３Ｔ以外の信号（例えば４Ｔ）を使用し、更に、各アシンメトリ間の関係を使用するという本実施の形態に係る情報記録媒体の記録条件調整方法は、多くの実験結果に基づき、新しく導き出された方法である。
図３０に３Ｔ信号、４Ｔ信号、５Ｔ信号、６Ｔ信号に関して測定した実験結果を示す。実験の条件は記録ストラテジが最適な場合である。記録パワ１２ｍＷにおいてほぼ最小のジッタが得られている。ここで注目すべきは、最適な記録パワ１２ｍＷ近傍において、１１Ｔ信号と３Ｔ信号、４Ｔ信号、５Ｔ信号のアシンメトリはほぼ同じ値であるが、１１Ｔ信号と６Ｔ信号の値は異なる値になっている。したがって、６Ｔより長い信号は使用しても意味がない。
これは、６Ｔ信号が光ビームの直径にほぼ等しくなり、再生信号振幅が飽和してきたためである。なお、この傾向は７Ｔ以上の信号の場合も同様である。記録マークまたはスペースが長くなれば、１１Ｔ信号と再生振幅はほぼ同じになり、アシンメトリは常に０％に近づく。つまり、このような状態では本願発明は実施できないのである。したがって、ＤＶＤ−Ｒの記録密度で使用する場合には、３Ｔ信号、４Ｔ信号、５Ｔ信号が有効である。
逆に言えば、前後のマーク間に干渉がある記録マーク長またはスペース長までは本願発明に使用できるということもできる。つまり、記録密度があがれば、６Ｔ以上の長さの信号も使用できる。
【００３４】
また、後述する実施例における実験では変調方式としてＥＦＭ  ｐｌｕｓを使用しているが、１−７変調、２−７変調等の他の変調方式にも応用することができる。例えば、１−７変調の場合、最短マークは２Ｔであり、最長マークは８Ｔなので、８Ｔと２Ｔのアシンメトリと８Ｔと３Ｔのアシンメトリを使用することになる。
１−７変調に対して、実施した実験結果を図３１に示す。この場合、最短マーク長は図２等の実験と同じにしている。１−７変調の場合、２Ｔから８Ｔまでの長さの信号しかないが、ＥＦＭ plusと同様の結果となっていることがわかる。つまり、本願発明はあらゆる変調方式に対応できることがわかる。
【００３５】
図４は、図２におけるアシンメトリ値（β値）の算出方法の一例を示す図である。
【００３６】
本実施の形態における実施例の実験では、図４に示すとおり、１１Ｔと３Ｔ、又は、１１Ｔと４Ｔの再生波形から１１Ｔのピークレベルａと１１Ｔのボトムレベルｂとを求め、
β＝０．５×（ａ−ｂ）／（ａ＋ｂ）なる式より算出する。
【００３７】
図４の場合、リファレンスレベルＲＥＦは、３Ｔ又は４Ｔの中心に設定している。β値の定義からわかるように、β値間に関係があるということは、１１Ｔ、４Ｔ、３Ｔの信号レベルに関係があると言うことで、各パターンの最小値、最大値、平均レベル（平均電圧）等の信号レベルを使用して、上記と同様の調整をすることもできる。その際、上記に示したβ値間の関係、及び値を信号レベルという観点から焼き直す必要がある。
【００３８】
ちなみに、３Ｔ、又は、４Ｔ平均電圧をＶａとし、１１Ｔの平均電圧をＶｐ、振幅をＶｐｐとすれば、
β値は（Ｖｐ−Ｖａ）／Ｖｐｐなる式で表される。
【００３９】
上記の２式は、信号を記録した場合に再生信号の平均電圧が下がる場合の式であるが、信号を記録した場合に平均電圧が上がる場合は、２式は
β＝０．５×（ｂ−ａ）／（ａ＋ｂ）
β値は（Ｖａ−Ｖｐ）／Ｖｐｐとなる。ただし、これはβ値の極性の問題だけなので、式は固定で、所望のβ値が５％であったものを、−５％にするだけでもよい。また、アシンメトリはパーセント表示のことが多く、パーセント表示にするには上記の式から算出された値を１００倍する必要がある。
今回は再生信号の出力レベルよりアシンメトリを算出し、本願発明を実現しているが、信号の平均レベルを積分的に算出して比べたり、そのような値を周波数的に抜き出すなどして本願発明が行なっていることと本質的に同じ作業をすることで、本願発明を実施できることは言うまでもない。
また、今回は１１Ｔ単一周期信号、３Ｔ単一周期信号、４Ｔ単一周期信号等を使用しているが、ランダムパターンを用いて、各周期の信号のレベルをサンプリングする等の方法でアシンメトリあるいはそれに相当する値を算出し、本願発明を実施することもできる。
また、本明細書ではβ１、β２が等しい場合を利用した記述となっているが、β１とβ２が等しいという条件は最適条件であって、多少最適条件からずれても良いと言う場合はβ１とβ２に差があってもよいことは言うまでもない。
本願発明の本質は、複数のアシンメトリ値あるいはそれに相当する値の関係性を用いて記録条件を調整することにある。
したがって、本明細書の記述では、記録条件として、記録パワ、記録パルス形状中心の調整となっているが、デフォーカス、ラジアルチルト、タンジェンシャルチルトの調整に用いることも可能である。また、記録中の波形を抽出し、記録中に記録条件を調整するといった使い方にも本願発明は応用できる。
また、デフォーカス、ラジアルチルト、タンジェンシャルチルトの調整等の場合は記録だけでなく、予めデータを記録しておき、再生時の調整にも使用できる。
【００４０】
その他に、１１Ｔと３Ｔ、又は、１１Ｔと４Ｔのアシンメトリと３Ｔと４Ｔのアシンメトリを調べることでも調整できる。その場合、上記の良好な条件は、１１Ｔと３Ｔ又は１１Ｔと４Ｔのアシンメトリは０〜１０％、３Ｔと４Ｔのアシンメトリは０％と焼き直される。
【００４１】
本実施の形態において、３Ｔ単一周期信号（第１の単一周期信号）と記載した場合は、３Ｔ長さのマークと３Ｔ長さのスペースからなる信号（デジタル的にいえば、３Ｔ長さの１と３Ｔ長さの０からなる信号）を意味する。４Ｔ単一周期信号（第２の単一周期信号）等も同様である。
【００４２】
次に、本実施の形態に係る情報記録媒体の記録条件調整方法について、実施例を用いて詳しく説明する。
【００４３】
（実施例１）
記録媒体として対象となるＤＶＤ−Ｒディスクに対して、図１に示す各処理を説明する。
【００４４】
図５は、図１の処理における記録条件一覧の一例を示す図である。
【００４５】
図１のパラメータ設定の処理Ａ０１においては、記録パワＰｗと図１６に示したパルス幅Ｔｍｐ以外のパラメータを、ディスクに埋め込まれた情報（ディスク情報）と同じように設定する。
【００４６】
図５に示すように、記録パワＰｗとパルス幅Ｔｍｐは９通りの組合せ（網掛け部）を設定する。今回はこの組み合わせを使用したが、組み合わせは適宜変更可能である。
【００４７】
具体的に、記録パワＰｗを、ディスク情報値（ディスク情報）を中心に−３０％から＋３０％までの５水準を設定する。パルス幅Ｔｍｐを、ディスク情報値（ディスク情報）を中心に−０．１Ｔから＋０．１Ｔまでの３水準に振る。各パルス幅Ｔｍｐに対して、使用する記録パワＰｗが違うのは、パルス幅Ｔｍｐが増えると、ジッタσが極小値をとる記録パワＰｗが増加するという関係があることを考慮しているためである。
【００４８】
図１の周期信号の記録Ａ０２では、特定パターン記録において、１１Ｔと３Ｔ、１１Ｔと４Ｔとを１シンクフレーム単位で記録する。これは、本実施例１で使用した少なくとも３種類の周期信号は、１１Ｔ単一周期信号、４Ｔ単一周期信号、３Ｔ単一周期信号となる。記録したのはＰＣＡ領域（Ｐｏｗｅｒ  Ｃａｌｉｂｒａｔｉｏｎ  Ａｒｅａ）である。記録パワＰｗとパルス幅Ｔｍｐの組合せが９通りあるので、少なくとも合計１８シンクフレームの記録を行なうことになる。
【００４９】
図６は、図１における記録状態イメージの一例を示す図である。
【００５０】
１１Ｔと３Ｔ、１１Ｔと４Ｔの組合せが、１フレーム単位で交互に出てきているが、必ずしも交互に記録する必要はない。９条件１８通りの記録ができることが必要条件である。
【００５１】
図１の信号レベルの測定Ａ０３では、各シンクフレームのβ値を測定する。これにより、アシンメトリ値β１、アシンメトリ値β２がそれぞれ９通り測定されることになる。測定されたアシンメトリ値β１とアシンメトリ値β２を用いて、最後に最適条件を判定する処理に続く。
【００５２】
図中には、１シンクフレーム単位（１ｓｙｎｃ  ｆｌａｍｅ）Ｐ０１、１１Ｔの連続パターンＰ０２、３Ｔの連続パターンＰ０３及び４Ｔの連続パターンＰ０４を示す。
【００５３】
次に、図１の最適記録方式導出Ａ０４について説明する。
【００５４】
図７は、図１における最適記録方式導出Ａ０４の概略フローを示す図である。
【００５５】
図８は、図７における記録ストラテジに対するアシンメトリ値β１とアシンメトリ値β２の記録パワ依存性の一例を示す図である。
【００５６】
図９は、図７におけるゼロクロスβ値のパルス幅Ｔｍｐ依存性の一例を示す図である。
【００５７】
図１０は、図７におけるゼロクロスパワのパルス幅Ｔｍｐ依存性の一例を示す図である。
【００５８】
まず、各パルス幅Ｔｍｐに対して、図８に示すアシンメトリ値β１とアシンメトリ値β２が等しくなる記録パワ（ゼロクロスパワ）とそのときのβ値（ゼロクロスβ値）の算出をする（ステップＢ０１）。
【００５９】
図８におけるグラフは、各パルス幅Ｔｍｐに対して測定した値から作成されるので、ゼロクロスパワとゼロクロスβ値とが導出できる。実施例１における各パルス幅Ｔｍｐに関して、ゼロクロスパワとゼロクロスβ値のセットが３セット得られる。ゼロクロスパワとゼロクロスβ値は測定点を最小２乗近似等で結び、データを類推して求めるのが好ましいが、測定点におけるβ値の差異がある所望の範囲に入っている記録条件を選択するという方法をとっても良い。これは、以後の最適条件を導出するときも同様であり、類推及び所望の条件を満たすもののどちらでも本願発明を実施できる。
【００６０】
図９に示すように、パラメータ設定の処理Ａ０１、周期信号の記録Ａ０２及び信号レベルの測定Ａ０３の処理で得られた各パルス幅Ｔｍｐのゼロクロスβ値について、パルス幅Ｔｍｐを横軸にグラフ化する。このグラフを用いて、所望のβ値をとるパルス幅Ｔｍｐを算出する（ステップＢ０２）。
【００６１】
実施例１においては、所望のβ値を７．５％に設定した。最適なβ値は各記録再生装置により変わる。ここでは、図３に示しているように、β値が７．５％の際最適なジッタが得られるため、β値の設定値を７．５％と設定した。即ちβ値は予め見積もっておくのが良い。なお、各記録媒体等に予め推奨β値がある場合には、その推奨値を設定しても良い。
図９からパルス幅Ｔｍｐの値がどのようなときにβ値が７．５％になるか推定でき、その値が最適なパルス幅Ｔｍｐとなる。丸印（○印）をつけたところが、最適な部分である。
【００６２】
図１０は、各パルス幅Ｔｍｐのゼロクロスパワをグラフ化したものである。このグラフより、ステップＢ０２の処理で求めた最適なパルス幅Ｔｍｐにおけるゼロクロスパワを知ることができる。このようにして記録パワＰｗを求めることで、最適な記録パワを算出する（ステップＢ０３）。
【００６３】
以上のような処理で、最適な記録パワＰｗとパルス幅Ｔｍｐを推定することができた。また、このようにして求めた条件で記録再生を行なったところ、ジッタσは８．５％程度が得られた。また、参考までにアシンメトリ値β１とアシンメトリ値β２の関係と値を調べたところ、アシンメトリ値β１とアシンメトリ値β２はほぼ等しく、値は７．２％程度であった。これにより、判定及び計算終了する（ステップＢ０４）。
【００６４】
本実施の形態に係る情報記録媒体の記録条件調整方法は上記の如く構成されているので、以下に掲げる効果を奏する。
【００６５】
記録パワＰｗと記録ストラテジを一括で調整することができる。そして、この調整にかかる時間は、一括記録と一括再生のわずかディスク２周分程度である。
【００６６】
また、使用した領域は１８シンクフレームのみであり、１物理セクタ（２６シンクフレームよりなる）よりも少ない。一般的にジッタσを測定するとなると、１つの記録条件の測定でさえ１ＥＣＣブロック（１６物理セクタ）程度は必要となる。従って、本実施の形態において使用される領域は少なくて済む。特に、既に公開された従来技術においては、最初の調整で６３通り、更に次の調整で２７通りの実験を行なっており、本実施の形態における実施例１に比べ、いかに多くの実験が必要かよくわかる。また使用する領域も非常に大きい（６３＋２７＝９０ＥＣＣブロック）。
【００６７】
以上より、迅速にかつ少ない使用領域で記録パワＰｗ及び記録ストラテジを一括調整する方法が提案され、その効果が非常に大きいことがわかる。
【００６８】
なお、上記処理で求められた記録パワＰｗ又はパルス幅Ｔｍｐのどちらかを固定して、残された方を５水準程度振り、アシンメトリ値β１とアシンメトリ値β２の関係をもう一度調べれば、より高精度な結果が得られる。
【００６９】
また、実施例１において、パルス幅Ｔｔｏｐは固定でパルス幅Ｔｍｐを動かしたが、パルス幅Ｔｍｐを固定してパルス幅Ｔｔｏｐを動かしても、同様の調整をすることができる。
また、当然ながら、１１Ｔ信号と信号振幅がほぼ同じである１４Ｔ信号を使用しても同様の結果が得られた。さらに、１１Ｔ信号の替わりに８Ｔ、９Ｔ、１０Ｔ信号を使用しても上記と同様の調整は可能であるが、８Ｔ、９Ｔ、１０Ｔ信号では１１Ｔ、１４Ｔ信号よりも振幅が小さいことがあるので、１１Ｔ、１４Ｔ信号を使用した調整の方がより好ましい。３Ｔ、４Ｔと振幅差があるほうが回路的に検出し易いのである。
また、例えば３Ｔマークと４Ｔスペースからなる単一周期信号と４Ｔマークと３Ｔスペースからなる単一周期信号を使用しても、本願発明を実施できないことはないが、その場合、アナログ的にアシンメトリを測定することは難しく、デジタル的にサンプリングを行なうことで上記と同様の調整が可能である。
【００７０】
更に、より精度を高めるために、１１Ｔと５Ｔと増やすことも考えられる。（なお、この場合の実施例は後述する）。
【００７１】
（実施例２）
実施例１における実験結果の応用となる実施例２の調整方法を説明する。
【００７２】
図１１は、本実施の形態に係る情報記録媒体の記録条件調整方法の記録条件における調整方法の他の一例を示す図である。
【００７３】
図１２は、図１１に続く記録条件における調整方法の一例を示す図である。
【００７４】
上記した図２を見ると明らかだが、１１Ｔと４Ｔのアシンメトリ値β２はパルス幅Ｔｍｐが変わっても、ある記録パワＰｗにおいて同一の値をとる。これはつまり、アシンメトリ値β２だけを測定することで、最適な記録パワＰｗを見つけ出せることを意味している。この事実を利用したのが、図１１に示す調整方法の第１段階と、図１２に示す調整方法の第２段階である。
【００７５】
図１３は、図１１における記録条件一覧の一例を示す図である。
【００７６】
まず、第１段階におけるパラメータ設定の処理のところで、記録パワ以外のパラメータをディスクに埋め込まれた情報（ディスク情報）と同じように設定した（パラメータ設定、ステップＣ０１）。記録パワＰｗは図１３に示したようにディスク情報値を中心に−３０％から＋３０％まで５通りを用意した。
【００７７】
次の特定パターン記録のところでは、１１Ｔと４Ｔを１シンクフレーム単位で記録した（１１Ｔと４Ｔの特定パターンイメージは図６参照）。記録したのはＰＣＡ領域（Ｐｏｗｅｒ  Ｃａｌｉｂｒａｔｉｏｎ  Ａｒｅａ）である。５通りの記録パワＰｗがあるので、合計５シンクフレームの記録を行なう（１１Ｔ周期信号と４Ｔ周期信号を記録、ステップＣ０２）。
【００７８】
次に、各シンクフレームのβ値を測定する（ステップＣ０３）。これにより、アシンメトリ値β２がそれぞれ５通り測定されることになる。
【００７９】
その後、横軸に記録パワＰｗ、縦軸にアシンメトリ値β２をプロットし、アシンメトリ値β２が７．５％をとる記録パワＰｗを推定し、それを最適記録パワと決定する（最適記録パワの導出、ステップＣ０４）。
【００８０】
図１４は、図１２における記録条件一覧の一例を示す図である。
【００８１】
上記した第１段階に続き、第２段階に移る。パラメータ設定の処理のところで、記録パワＰｗを上記処理で求めたものに固定した。パルス幅Ｔｍｐは図１４に示したようにディスク情報値を中心に−０．１５Ｔから＋０．１５Ｔまで７通りを用意した（パラメータ設定、ステップＤ０１）。
【００８２】
次の特定パターン記録のところでは、１１Ｔと３Ｔを１シンクフレーム単位で記録した（１１Ｔと３Ｔの特定パターンイメージは図６参照）。記録したのはＰＣＡ領域（Ｐｏｗｅｒ  Ｃａｌｉｂｒａｔｉｏｎ  Ａｒｅａ）である。７通りの記録パワＰｗがあるので、合計７シンクフレームの記録を行なう（１１Ｔ周期信号と３Ｔ周期信号を記録、ステップＤ０２）。
【００８３】
次に、各シンクフレームのβ値を測定する（ステップＤ０３）。これにより、アシンメトリ値β１がそれぞれ７通り測定されることになる。
【００８４】
その後、横軸にパルス幅Ｔｍｐ、縦軸にアシンメトリ値β１をプロットし、アシンメトリ値β１が７．５％をとるパルス幅Ｔｍｐを推定し、それを最適なパルス幅Ｔｍｐと決定する（最適Ｔｍｐの導出、ステップＤ０４）。
【００８５】
以上のような処理で、最適な記録パワＰｗとパルス幅Ｔｍｐを推定することができた。
【００８６】
このようにして求めた条件で記録再生を行なったところ、ジッタσ、８．０％程度が得られた。また、参考までにアシンメトリ値β１とアシンメトリ値β２の関係と値を調べたところ、アシンメトリ値β１とアシンメトリ値β２はほぼ等しく、各々値は７．５％程度であった。
【００８７】
実施例２において、記録パワＰｗと記録ストラテジを調整することができた。そして、それにかかった時間は、ディスク４周分程度であった。
【００８８】
（実施例３）
実施例１をより簡易的にした実施例を以下に説明する。
【００８９】
図１７は、図１の処理における記録条件一覧の一例を示す図である。
【００９０】
図１のパラメータ設定の処理Ａ０１においては、記録パワＰｗ以外のパラメータを、ディスクに埋め込まれた情報（ディスク情報）と同じように設定する。
【００９１】
図１７に示すように、記録パワＰｗは５通り（網掛け部）を設定する。
【００９２】
具体的に、記録パワＰｗを、ディスク情報値（ディスク情報）を中心に−３０％から＋３０％までの５水準を設定する。
【００９３】
図１の周期信号の記録Ａ０２では、特定パターン記録において、１１Ｔと３Ｔ、１１Ｔと４Ｔとを１シンクフレーム単位で記録する。これは、本実施例３で使用した少なくとも３種類の周期信号は、１１Ｔ単一周期信号、４Ｔ単一周期信号、３Ｔ単一周期信号となる。記録したのはＰＣＡ領域（Ｐｏｗｅｒ  Ｃａｌｉｂｒａｔｉｏｎ  Ａｒｅａ）である。記録パワＰｗが５通りあるので、合計１０シンクフレームの記録を行なうことになる。
【００９４】
図６は、図１における記録状態イメージの一例を示す図である。
【００９５】
１１Ｔと３Ｔ、１１Ｔと４Ｔの組合せが、１フレーム単位で交互に出てきているが、必ずしも交互に記録する必要はない。少なくとも５条件１０通りの記録ができることが必要条件である。
【００９６】
図１の信号レベルの測定Ａ０３では、各シンクフレームのβ値を測定する。これにより、アシンメトリ値β１、アシンメトリ値β２がそれぞれ５通り測定されることになる。測定されたアシンメトリ値β１とアシンメトリ値β２を用いて、最後に最適条件を判定する処理に続く。
【００９７】
次に、図１の最適記録方式導出Ａ０４について説明する。
【００９８】
図１８は、図１における最適記録方式導出Ａ０４の概略フローを示す図である。
【００９９】
まず、図８に示すアシンメトリ値β１とアシンメトリ値β２が等しくなる記録パワ（ゼロクロスパワ）とそのときのβ値（ゼロクロスβ値）の算出をする（ステップＥ０１）。
【０１００】
実施例１と異なり、実施例３ではパルス幅Ｔｍｐがパラメータとなっていないので、ゼロクロスパワとゼロクロスβ値のセットが１セットのみ得られる。
【０１０１】
実施例３ではすぐにゼロクロスβ値の適性判断を行なう。実施例３においてはジッタの値を10%以下に押え込むことを目標として、ゼロクロスβ値が０〜１０ ％であればＯＫ（問題なし）、それ以外であればＮＧ（問題あり）と判定した（ステップＥ０２）。
【０１０２】
ステップＥ０２でＮＧと判定された場合、ステップＥ０３に進む。ここでは、ゼロクロスβ値をもとにパルス幅Ｔｍｐを変更する。ゼロクロスβ値が０％以下であればパルス幅Ｔｍｐが小さすぎると判断できるので、Ｔｍｐを０．０５Ｔ増加させ、ステップＡ０１に戻り上記した各ステップを繰り返す。また、ゼロクロスβ値が１０％以上であればパルス幅Ｔｍｐが大きすぎると判断できるので、Ｔｍｐを０．０５Ｔ減少させ、ステップＡ０１に戻る。そして、ステップＥ０２でＯＫが出るまで処理を繰り返すのである。なお、ここではＴｍｐの変更幅を０．０５Ｔとしたが、これに限らず適宜変更して構わない。（ステップＥ０３）
【０１０３】
ステップＥ０２でＯＫと判定された場合、ステップＥ０４に進む。ステップＥ０２でＯＫとされたときに使用した記録パワおよびＴｍｐが選ばれた（設定される）記録条件となる。念のため判定結果を確認したければ、得られた記録条件で記録再生を行なえば良い。今回、このようにして求めた条件で記録再生を行なったところ、ジッタσは８．７％程度が得られた。これによって、判定及び計算を終了する（ステップＥ０４）。
【０１０４】
本実施の形態に係る情報記録媒体の記録条件調整方法は上記の如く構成されているので、以下に掲げる効果を奏する。
【０１０５】
記録パワＰｗと記録ストラテジを調整することができる。そして、この調整にかかる時間は、早ければ記録と再生のわずかディスク２周分である。
【０１０６】
また、使用した領域は少ない場合１０シンクフレームのみであり、実施例１より少なくすることも可能である。つまり、実施例１を簡易的に行ないたい場合に適したやり方と考えることができる。
【０１０７】
（実施例４）
実施例３をさらに簡易的に行いたい場合の実施例を以下に説明する。
【０１０８】
実施例４においては、図１の処理におけるステップＡ０１、ステップＡ０２、ステップＡ０３までは実施例３と同じことを行なう。異なる作業はステップＡ０４のところである。
【０１０９】
図１９は、実施例４における図１における最適記録方式導出Ａ０４の概略フローを示す図である。
【０１１０】
まず、図８に示すアシンメトリ値β１とアシンメトリ値β２が等しくなる記録パワ（ゼロクロスパワ）とそのときのβ値（ゼロクロスβ値）の算出をする（ステップＦ０１）。
【０１１１】
実施例４の場合、ステップＦ０１で得られた記録パワ（ゼロクロスパワ）が即そのまま最終的に得られた記録条件となり、その作業を終える（ステップＦ０２）。
【０１１２】
つまり、実施例４の場合、記録パルスに関しては調整を行なわず、記録パワについてのみ調整を行なう方法となる。
【０１１３】
本実施の形態に係る情報記録媒体の記録条件調整方法は上記の如く構成されているので、以下に掲げる効果を奏する。
【０１１４】
記録パワＰｗを調整することができる。そして、この調整にかかる時間は、記録と再生のわずかディスク２周分である。
【０１１５】
また、使用した領域は少ない場合１０シンクフレームのみであり、非常に少ない。
【０１１６】
また、実施例４では記録パワＰｗのみの調整しか行なっていないものの、図２０に示す効果が得られる。図２０は本来あるべきＴｍｐ（最適なＴｍｐ）から実際に使用されたＴｍｐがずれていた場合、記録パワだけを調整してどれだけジッタの上昇（劣化）を防ぐことができるかを示したものである。
【０１１７】
従来の記録パワのみの調整方法の例として、β法を使用した場合を併せて示している。従来のβ法ではターゲットとなるアシンメトリ値を５％または７．５％いずれに設定しても、Ｔｍｐのずれに対するジッタの劣化が本実施例４よりも大きいことがわかる。つまり、ゼロクロスパワを求めただけでもＴｍｐのずれに対するマージンを向上させることができるのである。
【０１１８】
つまり、本願発明は、記録パワだけを調整しても有効であることがわかり、本実施例４を用いれば、記録パルス形状等の調整がめんどうで調整を行なわなかったとしても信頼性の高い記録を行なうことができる。
【０１１９】
実施例４に関しては、記録パワと記録パルス形状は可換であり、記録パワを固定して、記録パルス形状だけを調整し、上記固定された記録パワのところがゼロクロスパワになるようにしても良く、そのような場合にも同様の効果が得られている。
【０１２０】
本願発明は基本的に、図２１に示すような様々な記録パルス形状に当てはめるこが可能である。しかしながら、図２１に示すような様々な記録パルス形状すべてに対応するにはＬＳＩの規模的な問題で無理な場合がある。そのような場合、とりあえず記録パワだけでも信頼性高く調整できる実施例４は有効な手段となり得るのである。
【０１２１】
（実施例５）
ＴｍｐではなくＴｔｏｐを可変にした場合の実施例１相当の実施例を以下に説明する。
【０１２２】
Ｔｔｏｐに関する図２と図３相当の実験事実を、図２２と図２３に示す。図２２と図２３においてはＴｍｐは０．７Ｔ固定としている。これらの図より、Ｔｍｐではなく、Ｔｔｏｐを可変にしても実施例１相当の調整ができることがわかる。
【０１２３】
図２４は、図１の処理における記録条件一覧の一例を示す図である。
【０１２４】
図１のパラメータ設定の処理Ａ０１においては、記録パワＰｗと図１６に示したパルス幅Ｔｔｏｐ以外のパラメータを、ディスクに埋め込まれた情報（ディスク情報）と同じように設定する。
【０１２５】
図２４に示すように、記録パワＰｗとパルス幅Ｔｔｏｐは９通りの組合せ（網掛け部）を設定する。
【０１２６】
具体的に、記録パワＰｗを、ディスク情報値（ディスク情報）を中心に−３０％から＋３０％までの５水準を設定する。パルス幅Ｔｔｏｐを、ディスク情報値（ディスク情報）を中心に−０．２Ｔから＋０．２Ｔまでの３水準に振る。各パルス幅Ｔｔｏｐに対して、使用する記録パワＰｗが違うのは、パルス幅Ｔｔｏｐが増えると、ジッタσが極小値をとる記録パワＰｗが減少するという関係があることを考慮しているためである。
【０１２７】
その後の作業はＴｍｐを可変とした実施例１と全く同じである。実施例１でＴｍｐに関して行なったことをすべてＴｔｏｐに置き換えて行なえば良い。
【０１２８】
実際に調整を行なうと、実施例１と同等の効果が得られることが確認できた。
【０１２９】
（実施例６）
実施例１に５Ｔ信号を加えたときの実施例を以下に説明する。
【０１３０】
この場合１１Ｔと５Ｔのアシンメトリをβ３と記述することにする。つまり、実施例５においては、β１、β２、β３の３種類のアシンメトリ値を使用することになる。
【０１３１】
図２にβ３を加えたグラフを図２５に示す。また、β１とβ２のゼロクロスβ値（Ｋ１と記す）とβ２とβ３のゼロクロスβ値（Ｋ２と記す）をまとめたものを図２６に示す。図２６より、Ｋ１とＫ２の大小関係から、Ｔｍｐが最適値からどちらの方にずれているかを知ることができる。つまり、Ｋ１がＫ２よりも小さければＴｍｐが最適値より小さいこと、Ｋ１がＫ２よりも大きければＴｍｐが最適値より大きいことがわかる。また、Ｔｍｐが最適なところ（図中のＴｍｐが０．７Ｔのところ）では３種類のβ値が同じ値をとることもわかる。
【０１３２】
したがって、５Ｔ信号まで使用すれば、最適点を求める精度が向上でき、また、実施例１のように所望のβ値を特に設定しなくても良い。
【０１３３】
本実施例で使用する記録条件一覧は図５と同様である。
【０１３４】
図１のパラメータ設定の処理Ａ０１においては、記録パワＰｗと図１６に示したパルス幅Ｔｍｐ以外のパラメータを、ディスクに埋め込まれた情報（ディスク情報）と同じように設定する。
【０１３５】
図５に示すように、記録パワＰｗとパルス幅Ｔｍｐは９通りの組合せ（網掛け部）を設定する。
【０１３６】
図１の周期信号の記録Ａ０２では、特定パターン記録において、１１Ｔと３Ｔ、１１Ｔと４Ｔ、１１Ｔと５Ｔとを１シンクフレーム単位で記録する。これは、本実施例６で使用した少なくとも３種類の周期信号は、１１Ｔ単一周期信号、５Ｔ単一周期信号、４Ｔ単一周期信号、３Ｔ単一周期信号、となる。記録したのはＰＣＡ領域（Ｐｏｗｅｒ  Ｃａｌｉｂｒａｔｉｏｎ  Ａｒｅａ）である。記録パワＰｗとパルス幅Ｔｍｐの組合せが９通りあるので、合計２７シンクフレームの記録を行なうことになる。
【０１３７】
図２７は、図１における記録状態イメージの一例を示す図である。
【０１３８】
１１Ｔと３Ｔ、１１Ｔと４Ｔ、１１Ｔと５Ｔの組合せが、１フレーム単位で交互に出てきているが、必ずしも交互に記録する必要はない。９条件２７通りの記録ができることが必要条件である。
【０１３９】
図１の信号レベルの測定Ａ０３では、各シンクフレームのβ値を測定する。これにより、アシンメトリ値β１、アシンメトリ値β２、アシンメトリ値β３がそれぞれ９通り測定されることになる。測定されたアシンメトリ値β１、アシンメトリ値β２、アシンメトリ値β３を用いて、最後に最適条件を判定する処理に続く。
【０１４０】
次に、図１の最適記録方式導出Ａ０４について説明する。
【０１４１】
図２８は、図１における最適記録方式導出Ａ０４の概略フローを示す図である。
【０１４２】
まず、各パルス幅Ｔｍｐに対して、図８に示すようにアシンメトリ値β１とアシンメトリ値β２が等しくなる記録パワ（ゼロクロスパワ）とそのときのβ値（ゼロクロスβ値）Ｋ１の算出をする。同様に、アシンメトリ値β２とアシンメトリ値β３が等しくなるときのβ値Ｋ２の算出をする（ステップＧ０１）。
【０１４３】
図２９に示すように、パラメータ設定の処理Ａ０１、周期信号の記録Ａ０２及び信号レベルの測定Ａ０３の処理で得られた各パルス幅ＴｍｐのＫ１とＫ２について、パルス幅Ｔｍｐを横軸にグラフ化する。このグラフを用いて、Ｋ１とＫ２がクロスする（同じ値をとる）パルス幅Ｔｍｐを算出する。これは、Ｋ１とＫ２がクロスするときのアシンメトリ値が実施例１における所望のβ値と等価であると言うこともできる。つまり、実施例１では所望のβ値を７．５％に規定したが、実施例６では測定で所望のβ値を求めると言うことである。（ステップＧ０２）。
【０１４４】
図２９の丸印（○印）をつけたところが、最適な部分である。
【０１４５】
最適記録パワは実施例１の図１０と同様のグラフを作成し、ステップＧ０２の処理で求めた最適なパルス幅Ｔｍｐにおけるゼロクロスパワとなる。このようにして記録パワＰｗを求めることで、最適な記録パワを算出する（ステップＧ０３）。
【０１４６】
以上のような処理で、最適な記録パワＰｗとパルス幅Ｔｍｐを推定することができた。また、このようにして求めた条件で記録再生を行なったところ、ジッタσは８．５％程度が得られた。これにより、判定及び計算終了する。求められた条件での記録再生確認はやってもやらなくても構わないものである。（ステップＧ０４）。
【０１４７】
実施例６では実施例１を模倣した形で記録パワ及び記録パルス形状の調整を行なったが、図２５からわかるようにアシンメトリ値β２とアシンメトリ値β３のゼロクロスβ値Ｋ２はＴｍｐにあまり依存しない。つまり、アシンメトリ値β２とアシンメトリ値β３だけを用いて、先に最適な記録パワを求め、その後、その最適記録パワで、アシンメトリ値β１とアシンメトリ値β２がクロスするようにＴｍｐを調整することもできる（実施例２の第１段階をβ２とβ３で行なったことに相当する）。つまり、２種類以上のアシンメトリを使用して最適記録条件を求める方法は適宜数多く考えられるので、システムにあった方法を用いれば良い。
また、実施例６の場合、１１Ｔ単一周期信号も用いたが、３Ｔ単一周期信号、４Ｔ単一周期信号、５Ｔ単一周期信号だけの関係を用いても本願発明は実施できる。その場合、例えば、３Ｔ単一周期信号と４Ｔ単一周期信号のアシンメトリが０で、かつ５Ｔ単一周期信号と３Ｔ単一周期信号または４Ｔ単一周期信号のアシンメトリが０である条件を探せば良いのである。
【０１４８】
本実施の形態に係る情報記録媒体の記録条件調整方法は上記の如く構成されているので、以下に掲げる効果を奏する。
【０１４９】
記録パワＰｗと記録ストラテジを一括で調整することができる。そして、この調整にかかる時間は、一括記録と一括再生のわずかディスク２周分程度である。
【０１５０】
以上より、迅速にかつ少ない使用領域で記録パワＰｗ及び記録ストラテジを一括調整する方法が提案され、その効果が非常に大きいことがわかる。実施例１と比較すると、所望のβ値を測定で算出するため、事前に所望のβ値をセットしておく手間が省けるというメリットもある。また、多くのアシンメトリ値を使用しているので調整精度が向上できるメリットもある。
【０１５１】
実施例６ではアシンメトリ値を３種類使用した場合について、実施例１のようなフローで調整する方法を示したが、当然実施例２、実施例３、実施例４、実施例５のフローにあわせて実施することもでき、実際実施することができた。
【０１５２】
（実施例７）
本願発明の情報記録媒体の記録条件調整方法を情報記録再生装置に組み込んだ一例を説明する。
図３２に示すように、本願発明の情報記録再生装置は、光ディスク媒体とＬＤ駆動系とＬＤからなる記録手段と、光検出器からなる情報再生手段と、記録条件又は再生条件を設定する記録再生条件設定機構からなる。記録再生条件設定機構は再生信号を検出する部分と、その再生信号から記録再生条件を設定する部分と、その設定した記録再生条件を実行する部分とからなる。設定された記録再生条件をもとにＬＤ駆動系がＬＤを発光させる。光ディスクはスピンドル駆動系により回転させられ、光ディスクに記録されている情報はＬＤにより照射された光の反射光として、対物レンズを通り、光検出系で検出される。光検出系で検出された情報は再生信号として、上位の処理系に送られる。その際、再生信号は記録再生条件設定機構にも配分され、記録再生条件設定機構はその情報をもとに記録再生条件を点検することができる。そして、ここで点検した情報を用いて記録再生条件を変更することが可能であり、より良い記録再生が行なえることになる。このように記録条件設定機構は上記した本願発明の記録再生条件調整方法を実現する機能を有する。本願発明の情報記録再生装置では非常に信頼性の高い記録再生を行なうことができる。
なお記録再生条件設定機構での処理はハードウェアのみで行なっても良いが、ソフトウェアで行なえる部分はプログラムに置き換え実施することもできる。
【０１５３】
図１５は、ディスク情報をそのまま利用した場合のジッタ特性を示す図である。
【０１５４】
図１５に示すように、実施例１及び実施例２の比較のため、使用したＤＶＤ−Ｒをディスク情報の記録ストラテジのままで記録した。ジッタ極小のところでも、１１％以上の値となっており、ディスク情報の記録ストラテジがそのまま使用できないことがわかる。また、アシンメトリ値β１とアシンメトリ値β２の絶対値も０〜１０％を大きく外れている。
【０１５５】
以上により、本実施の形態における実施例１から実施例６に示す調整方法が非常に有効であることが認識される。
【０１５６】
なお、本実施の形態において、ＤＶＤ−Ｒに関する実験を対象として説明を行なったが、種々の光ディスクにおける再生波形は基本的に同じであるので、上記のジッタσが良好になる条件というのは、ＤＶＤ−ＲＷ、ＤＶＤ＋ＲＷ、ＤＶＤ−ＲＡＭ、ＤＶＤ−ＲＯＭ、ＭＯ、ＭＤ、ＣＤ、ＣＤ−Ｒ、ＣＤ−ＲＷ等でも同じである。即ち、本発明はすべての光ディスクに適応できる。
【０１５７】
また、本実施の形態において、１１Ｔと３Ｔ、１１Ｔと４Ｔ、１１Ｔと５Ｔのアシンメトリに関して記載しているが、今後、記録密度の向上によってはその他の長さの信号（６Ｔ、７Ｔ、８Ｔ、９Ｔ、１０Ｔ）を使用しての調整も可能な場合が考えられる。
なお、本願発明では、光波長６３０〜６６０ｎｍ、開口数（ＮＡ）０．６〜０．６５、光ビーム直径０．８〜０．９μｍの真円の光ヘッドを用いている。また、チャネルクロックは２６．１６ＭＨｚであり、ディスクは線速度３．４９ｍ／ｓで回転している。したがって、６Ｔ以上の信号は光ビーム径とほぼ同じ又は長くなり、アシンメトリが動き難い系となっている。
また、光波長４００〜４１０ｎｍ、開口数０．８５、光ビーム直径０．４μｍの光ヘッドを用い、チャネルクロック６６ＭＨｚ、ディスク線速度５．２８ｍ／ｓで回転した場合、５Ｔ以上の信号は光ビーム径とほぼ同じ又は長くなり、アシンメトリが動き難い系となる。
このように使用される光ビーム径と記録密度の関係からアシンメトリ値として使用できる上限のマーク長さおよびスペース長さは変わる可能性はあるが、前後のマーク間またはスペース間で干渉が起きる短いマークまたは短いスペースの信号を用いた方がより本願発明の実施に適していると言える。
【０１５８】
更に、本実施の形態においては、本発明はそれに限定されず、本発明を適用する上で好適な情報記録媒体の記録条件調整方法に関する技術に適用することができる。
【０１５９】
また、上記構成部材の数、位置、形状等は上記実施の形態に限定されず、本発明を実施する上で好適な数、位置、形状等にすることができる。
【０１６０】
なお、各図において、同一構成要素には同一符号を付している。
【０１６１】
【発明の効果】
本発明は以上のように構成されているので、以下に掲げる効果を奏する。
アシンメトリ値を調べ、その大小関係と絶対値をもとに記録パワと記録ストラテジとを一括で調整することで、迅速に、且つ、少ない使用領域で記録パワ、記録ストラテジを調整することができ、ドライブの信頼性を著しく向上することができる。
【図面の簡単な説明】
【図１】  本発明の実施の形態に係る情報記録媒体の記録条件調整方法における処理の流れを示す図である。
【図２】  図１の処理における記録パワ（記録パワレベル）、記録ストラテジパラメータとジッタ、アシンメトリの関係の一例を示す図である。
【図３】  図２における所定の記録ストラテジにて極小ジッタ値及び極小ジッタ値をとったときのアシンメトリを示す図である。
【図４】  図２におけるアシンメトリ値（β値）の算出方法を示す図である。
【図５】  図１の処理における記録条件一覧の一例を示す図である。
【図６】  図１における記録状態イメージの一例を示す図である。
【図７】  図１における最適記録方式導出の概略フローを示す図である。
【図８】  図７における記録ストラテジに対するアシンメトリ値とアシンメトリ値の記録パワ依存性の一例を示す図である。
【図９】  図７におけるゼロクロスβ値のパルス幅依存性の一例を示す図である。
【図１０】  図７におけるゼロクロスパワのパルス幅依存性の一例を示す図である。
【図１１】  本発明の実施の形態に係る情報記録媒体の記録条件調整方法の記録条件における調整方法の他の一例を示す図である。
【図１２】  図１１に続く記録条件における調整方法の一例を示す図である。
【図１３】  図１１における記録条件一覧の一例を示す図である。
【図１４】  図１２における記録条件一覧の一例を示す図である。
【図１５】  ディスク情報をそのまま利用した場合のジッタ特性を示す図である。
【図１６】  従来技術におけるマルチパルスの概要を示す図である。
【図１７】  図１の処理における記録条件一覧の一例を示す図である。
【図１８】  図１における最適記録方式導出の概略フローを示す図である。
【図１９】  図１における最適記録方式導出の概略フローを示す図である。
【図２０】  本願発明の実施例と従来例の比較結果を示す図である。
【図２１】  本願発明に適応される記録パルス形状の一例である。
【図２２】  記録パワ（記録パワレベル）、記録ストラテジパラメータとジッタ、アシンメトリの関係の一例を示す図である。
【図２３】  図２２における所定の記録ストラテジにて極小ジッタ値及び極小ジッタ値をとったときのアシンメトリを示す図である。
【図２４】  図１の処理における記録条件一覧の一例を示す図である。
【図２５】  記録パワ（記録パワレベル）、記録ストラテジパラメータとジッタ、アシンメトリの関係の一例を示す図である。
【図２６】  図２５における所定の記録ストラテジにて極小ジッタ値及び極小ジッタ値をとったときのアシンメトリを示す図である。
【図２７】  図１における記録状態イメージの一例を示す図である。
【図２８】  図１における最適記録方式導出の概略フローを示す図である。
【図２９】  図２８におけるゼロクロスβ値Ｋ１、Ｋ２のパルス幅依存性の一例を示す図である。
【図３０】    図１の処理における記録パワ（記録パワレベル）、記録ストラテジパラメータとジッタ、アシンメトリの関係の一例を示す図である。
【図３１】    図１の処理における記録パワ（記録パワレベル）、記録ストラテジパラメータとジッタ、アシンメトリの関係の一例を示す図である。
【図３２】    本願発明の情報記録再生装置の一例を示す図である。
【符号の説明】
Ａ０１  パラメータ設定の処理
Ａ０２  周期信号の記録
Ａ０３  信号レベルの測定
Ａ０４  最適記録方式導出
Ｐ０１  １シンクフレーム単位（１ｓｙｎｃ  ｆｌａｍｅ）
Ｐ０２  １１Ｔの連続パターン
Ｐ０３  ３Ｔの連続パターン
Ｐ０４  ４Ｔの連続パターン
Ｐｂ  ボトムパワレベル
Ｐｅ  消去パワレベル
Ｐｗ  記録パワ（記録パワレベル）
ＲＥＦ  リファレンスレベル
Ｔｃｌ  期間
Ｔｍｐ  パルス幅
Ｔｔｏｐ  パルス幅
ａ  ピークレベル
ｂ  ボトムレベル
β１  アシンメトリ値（第１のアシンメトリ値、Ａｓｙｎｍｅｔｒｙ（１１Ｔ−３Ｔ））
β２  アシンメトリ値（第２のアシンメトリ値、Ａｓｙｎｍｅｔｒｙ（１１Ｔ−４Ｔ））
σ  ジッタ（ｊｉｔｔｅｒ）
【図１】
0003820965.tif 000002
【図２】
0003820965.tif 000003
【図３】
0003820965.tif 000004
【図４】
0003820965.tif 000005
【図５】
0003820965.tif 000006
【図６】
0003820965.tif 000007
【図７】
0003820965.tif 000008
【図８】
0003820965.tif 000009
【図９】
0003820965.tif 000010
【図１０】
0003820965.tif 000011
【図１１】
0003820965.tif 000012
【図１２】
0003820965.tif 000013
【図１３】
0003820965.tif 000014
【図１４】
0003820965.tif 000015
【図１５】
0003820965.tif 000016
【図１６】
0003820965.tif 000017
【図１７】
0003820965.tif 000018
【図１８】
0003820965.tif 000019
【図１９】
0003820965.tif 000020
【図２０】
0003820965.tif 000021
【図２１】
0003820965.tif 000022
【図２２】
0003820965.tif 000023
【図２３】
0003820965.tif 000024
【図２４】
0003820965.tif 000025
【図２５】
0003820965.tif 000026
【図２６】
0003820965.tif 000027
【図２７】
0003820965.tif 000028
【図２８】
0003820965.tif 000029
【図２９】
0003820965.tif 000030
【図３０】
0003820965.tif 000031
【図３１】
0003820965.tif 000032
【図３２】
0003820965.tif 000033